(57)【要約】      （修正有）【課題】筐体と、半導体素子をベースとするデータを持ち運ぶためのデジタルメモリと、保存情報を保護するとともに、その後消去するための手段とを備えた携帯データ記憶媒体に関する。【解決手段】データを持ち運ぶためのデジタルメモリに保存された情報を暗号化するための暗号化プログラムと、ネットワーク接続を介して、暗号化されたデータを機密が保持されたサーバーに伝送するための無線ユニットと、筐体の外側に配置されたボタン又はレバーであって、それを操作すると暗号化プログラムが作動するとともに、筐体内部の機械的な連携作用によって、破壊部品に力が伝達されて、その破壊部品が、データ記憶媒体を筐体から取り出すこと無く、増大した圧力のためにデジタルメモリの破壊を引き起こすこととなるボタン又はレバーとを更に備えている。【選択図】図１
0003136838.tif 000002
【実用新案登録請求の範囲】
【請求項１】
筐体と、半導体素子をベースとするデータを持ち運ぶためのデジタルメモリと、保存情報を保護するとともに、その後消去するための手段とを備えた携帯データ記憶媒体において、データ記憶媒体が、
データを持ち運ぶためのデジタルメモリに保存された情報を暗号化するための暗号化プログラムと、
ネットワーク接続を介して、暗号化されたデータを機密が保持されたサーバーに伝送するための無線ユニットと、
筐体の外側に配置されたボタン又はレバーであって、それを操作すると暗号化プログラムが作動するとともに、筐体内部の機械的な連携作用によって、破壊部品に力が伝達されて、その破壊部品が、データ記憶媒体を筐体から取り出すこと無く、増大した圧力のためにデジタルメモリの破壊を引き起こすこととなるボタン又はレバーと、
を更に備えていることを特徴とするデータ記憶媒体。
【請求項２】
暗号化されたデータが無線ユニットを介して伝送された後に初めて、破壊部品を作動させることとなるブロック部品が、筐体内の破壊部品に近い所に配置されていることを特徴とする請求項１に記載のデータ記憶媒体。
【請求項３】
当該の持ち運び可能なデータ記憶媒体が、携帯電話機、携帯情報端末、ラップトップパソコン、ノードブックパソコン、スマートフォン、ＵＳＢスティック又はこれらと同等の物であることを特徴とする請求項１又は２に記載のデータ記憶媒体。
【請求項４】
暗号化の前及び／又は後にデータを圧縮するシステムが配備されていることを特徴とする請求項１から３までのいずれか一つに記載のデータ記憶媒体。
【請求項５】
当該の無線ユニットが、少なくとも一つの送信機及び少なくとも一つのアンテナを有することを特徴とする請求項１から４までのいずれか一つに記載のデータ記憶媒体。
【請求項６】
当該の破壊部品を開始位置及び作動後の破壊位置に保持することができることを特徴とする請求項１から５までのいずれか一つに記載のデータ記憶媒体。
【請求項７】
当該の消去するデジタルメモリが、ディスケット、ＣＤ−ＲＯＭ、ＤＶＤ−ＲＯＭ、ハードディスク又はチップであることを特徴とする請求項１から６までのいずれか一つに記載のデータ記憶媒体。
【請求項８】
当該のチップが、フラッシュメモリ又はメモリモジュールであることを特徴とする請求項７に記載のデータ記憶媒体。
【請求項９】
筐体上に、データ暗号化の終了、安全なサーバーへのデータ伝送の終了及びブロック部品による破壊部品の作動を知らせる表示手段が取り付けられていることを特徴とする請求項１から８までのいずれか一つに記載のデータ記憶媒体。
【考案の詳細な説明】
【技術分野】
【０００１】
本考案は、筐体と、半導体素子をベースとするデータを持ち運ぶためのデジタルメモリと、保存情報を保護するとともに、その後消去するための手段とを備えた携帯データ記憶媒体に関する。
【背景技術】
【０００２】
業務上の理由及びその他の理由でデータ記憶媒体に保存された情報が殆ど分からない内に増えてしまうことは周知である。多くのデータ記憶媒体には、決して権限の無い人の手に入ってはならない機密性の非常に高い情報も有る。そのため、例えば、消去コマンドを用いて、或いはフォーマット化又は上書きによって、データ記憶媒体上のデータを消去するための様々な方法が既に存在する。
【０００３】
消去コマンドを使用する場合、特に、ＤＯＳベースのオペレーティングシステムでは、実際には情報が消去されておらず、データ記憶媒体の「インデックス」における情報へのリンクだけが消去されていることに注意する必要が有る。そのファイルは、依然として存在している。消去されたと信じられている情報を再び復元することができるプログラムが多数存在する、例えば、ＤＯＳではｕｎｄｅｌｅｔｅプログラムが有る。
【０００４】
データを復元不可能な形で消去するためには、データ記憶媒体への全ての書込みを上書きしなければならない。そのために、ＰＣツールズやノートンユーティリティーズなどのプログラムを用いることができる。
【０００５】
データ記憶媒体を再び「初期状態」に戻すために、従って、存在する情報も消去するために、フォーマット化することが可能である。しかし、それによって、どの程度確実に古いデータが消去されるかは、ベースとするオペレーティングシステムに大きく依存する。如何なる場合でも、古いデータを上書きすることが確実である。
【０００６】
標準的な保護要件に対して十分な程度に物理的に消去することは、データ記憶媒体全体又は少なくとも使用領域を所定のパターンで上書きすることによって実現することができる。それどころか個々のファイルの物理的な消去を保証する幾つかの商用製品が提供されている。
【０００７】
しかし、上書きは、手間と時間のかかる手法である。本当に完全な消去を実現するためには、上書きを少なくとも二回、より好ましくは三回繰り返す必要が有る。
【０００８】
ＣＤ−ＲＯＭやＣＤ−Ｒなどの書込み保護された、或いは複数回書込みできないデータ記憶媒体は、当然のことながら消去することはできず、破壊しなければならない。
【０００９】
柔軟な磁気データ記憶媒体（ディスケット、テープ）は、消磁器を用いて消去することができる。その場合データ記憶媒体は、外部の定常磁界又は交番磁界に曝されることとなる（起磁力による消去）。データ記憶媒体を破壊する簡単な手法は、ディスケット及び磁気テープを裁断し、ハードディスクを機械的に破砕することである。しかし、それは、常に筐体からデータ記憶媒体を取り出さなければならないので、破壊すべきデータ記憶媒体の量が多い場合には面倒であり、時間もかかる過ぎることとなる。
【００１０】
特許文献１は、高電圧変成器又は高電圧発生器、開閉器及び電磁コイルを使用する、電子的なデータ又はそれと同様なデータを破壊するための装置を提示している。特許文献２には、権限の無いアクセスに対してデータ記憶媒体を物理的に破壊するための保護装置が記載されている。そのような装置及び同様な装置は、元々非常に重要であったが破壊されてしまったデータが復元不可能な形で消されて、もはやデータ記憶媒体の所有者によっても復元することができないという欠点を有する。
【特許文献１】ドイツ実用新案公開第２９５１５７７９号明細書
【特許文献２】国際特許公開第０２／０９５５５０号明細書
【考案の開示】
【考案が解決しようとする課題】
【００１１】
以上のことから、本考案の課題は、初めにデータ記憶媒体を筐体から取り出す必要が無く、データ記憶媒体自体にデータを復元する手段を持たないが、それでも別の場所に有るデータを安全に再び読み出す手段を構成する形で、データ記憶媒体に保存された情報を短時間で完全に消去することである。
【課題を解決するための手段】
【００１２】
この課題は、本考案にもとづき、筐体と、半導体素子をベースとするデータを持ち運ぶためのデジタルメモリと、保存情報を保護するとともに、その後消去するための手段とを備えた携帯データ記憶媒体であって、
データを持ち運ぶためのデジタルメモリに保存された情報を暗号化するための暗号化プログラムと、
ネットワーク接続を介して、暗号化されたデータを機密が保持されたサーバーに伝送するための無線ユニットと、
筐体の外側に配置されたボタン又はレバーであって、それを操作すると暗号化プログラムが作動するとともに、筐体内部の機械的な連携作用によって、破壊部品に力が伝達されて、その破壊部品が、データ記憶媒体を筐体から取り出すこと無く、増大した圧力のためにデジタルメモリの破壊を引き起こすこととなるボタン又はレバーと、
を更に備えたデータ記憶媒体によって解決される。
【００１３】
有利な改善構成では、ブロック部品が筐体内の破壊部品に近い所に配置されており、そのブロック部品は、暗号化されたデータが無線ユニットを介して伝送された後に初めて、破壊部品を作動させるものである。
【００１４】
本考案の意味する範囲内において、特に有利には、破壊するデジタルメモリは、割る、破砕する、傷付ける、或いは粉砕することが可能であり、そうすることによって、例えば、小さい破片に解体されて、そこに保存された情報をもはや再構成することが不可能となるものである。
【００１５】
有利な実施形態では、持ち運び可能なデータ記憶媒体は、携帯電話機、携帯情報端末（ＰＤＡ）、ラップトップパソコン、ノードブックパソコン、スマートフォン、ＵＳＢスティック又はこれらと同等の物である。
【００１６】
更に、暗号化の前及び／又は後にデータを圧縮するシステムを配備するのが有利である。
【００１７】
本考案の意味する範囲内において、データの暗号化のために、任意のアルゴリズム又は暗号化プロトコルを使用することが可能である。
【００１８】
本考案では、無線ユニットは、少なくとも一つの送信機と少なくとも一つのアンテナを有する。当然のことながら、この無線ユニットは、送信機、受信機及びアンテナから成る従来の無線機部分とすることもできる。暗号化されたデータのサーバーへの伝送は、例えば、ワイヤレス・アプリケーション・プロトコル（ＷＡＰ）技術又はｉモードサービスを用いて行うことができる。
【００１９】
更に、破壊部品を開始位置及び作動後の破壊位置に保持することができることは有利である。従って、破壊部品は、移動可能な形で配置されており、通常の使用状態では開始位置に有る。破壊部品のこの位置では、メモリは、正常に動作することができる。破壊位置では、破壊部品は、直接的又は間接的にメモリと接触し、そのことによって、メモリは、機械的に不可逆的に破壊されることとなる。
【００２０】
消去するデジタルメモリは、有利には、ディスケット、ＣＤ−ＲＯＭ、ＤＶＤ−ＲＯＭ、ハードディスク又はチップである。特に有利な実施形態では、チップは、フラッシュメモリ又はメモリモジュールである。その場合、フラッシュメモリは、特に、携帯データ記憶媒体で使用するのに適している。
【００２１】
更に、データ暗号化の終了、安全なサーバーへのデータ伝送の終了及び／又はブロック部品による破壊部品の作動を知らせる表示手段を筐体上に配備するのが有利である。そして、筐体の外側に配置されたボタン又はレバーを新ためて操作し、そうすることによって、筐体内部の機械的な連携作用により破壊部品に力を伝達して、メモリを破壊することが可能となる。
【００２２】
それに代わって、データ暗号化と安全なサーバーへのデータ伝送の終了後直ちにブロック部品により破壊部品を作動させることによって、ボタンを更に操作すること無く自動的にメモリを破壊することも可能である。そのためには、例えば、小さいサーボモーター又はトーションバーなどの事前に、或いは第一の操作により既に機械的に付勢された手段を用いて破壊部品を動かすこともできる。そうすることによって、ユーザーが緊急時にボタンを一回押下するだけで、データの保護からメモリの破壊までの過程が自動的に進行されるという特別な利点が得られる。
【００２３】
前述したデータ記憶媒体を消去する機構は、特に、ユーザーが常に帯同する小さく持ち運び易い筐体内に組み込むことができる。そのような機器のユーザーが、機器の中に含まれるデータ記憶媒体と共に機器を紛失する虞が発生する状況に陥った場合、ユーザーは、最終的な段階において、その中に含まれる全ての情報を短時間で不可逆的に破壊することが可能である。
【考案の効果】
【００２４】
この装置は、データの破壊を必要とする事象が発生した場合に、ユーザーが、短時間で筐体上のボタン又はレバーを操作して、それによりデータの暗号化を作動させるという利点を有する。それらのデータを無線ユニットにより無線ネットワークを介して安全なサーバーに送信した後、ユーザーは、そのプロセスの終了を表示手段により知り、ボタン又はレバーの更なる操作によって、ブロック部品により作動される破壊手段を用いて、メモリを不可逆的に破壊することが可能となる。ここで、この装置の決定的な利点は、サーバーに保存された暗号化データを後で再び読み出すことが可能であることから得られる。
【考案を実施するための最良の形態】
【００２５】
以下において、本考案による装置の詳細及び利点を図面にもとづき更に詳しく説明する。
【００２６】
図１には、インターネット２を介して携帯電話機１から安全なサーバー３へのデータ伝送及びそこからパソコン４へのデータ伝送が図示されている。データ伝送は、安全錠により象徴的に示されている通り暗号化された形で行われる。その場合、携帯電話機１にも、別のパソコン４にも、データ暗号化ソフトウェアが有る。
【００２７】
図２は、筐体５と、半導体素子をベースとするデータを持ち運ぶためのデジタルメモリ６と、暗号化されたデータをネットワーク接続を介して機密が保持されたサーバー３に伝送するための無線ユニット７と、筐体５の外側に配置されたボタン８とを備えた、携帯データ記憶媒体としての携帯電話機１を図示している。筐体５の外側に配置されたボタン８を操作することによって、暗号化プログラムが作動されるとともに、図３の通り、筐体５内部の機械的な連携作用によって破壊部品９に力が伝達されて、その力が、データ記憶媒体を筐体５から取り出すこと無く、増大した圧力によってデジタルメモリ６の破壊を引き起こすこととなる。更に、筐体５内に配置されたブロック部品１０が有り、そのブロック部品は、暗号化されたデータの無線ユニット７による伝送後に初めて、破壊部品を作動させるものである。
【００２８】
データの破壊を必要とする事象が発生した場合、ユーザーは、短時間で筐体５上のボタン８を操作して、それによりデータの暗号化を作動することができる。そのデータを無線ユニット７により無線ネットワークを介して安全なサーバー３に送信した後、ユーザーは、そのプロセスの終了を表示手段により知り、ボタン８の更なる操作によって、ブロック部品１０により作動される破壊手段９を用いて、メモリ６を不可逆的に破壊することが可能である。ここで、この装置の決定的な利点は、サーバー３に保存された暗号化されたデータを後で再び読み出すことが可能であることから得られる。そのためには、暗号化ソフトウェアをインストールしたパソコン４のサーバー３とのネットワーク接続だけを実行しなければならない。
【図面の簡単な説明】
【００２９】
【図１】本考案にもとづくデータの暗号化及び伝送の模式図
【図２】筐体内で破壊部品が開始位置に有る携帯データ記憶媒体の模式図
【図３】筐体内で破壊部品が作動後の破壊位置に有る携帯データ記憶媒体の模式図
【符号の説明】
【００３０】
１    携帯電話機
２    インターネット
３    サーバー
４    パソコン
５    筐体
６    メモリ
７    無線ユニット
８    ボタン
９    破壊部品
１０    ブロック部品
【図１】
0003136838.tif 000003
【図２】
0003136838.tif 000004
【図３】
0003136838.tif 000005